【手続補正書】
【提出日】平成25年6月28日(2013.6.28)
【手続補正１】
【補正対象書類名】明細書
【補正対象項目名】発明の名称
【補正方法】変更
【補正の内容】
【発明の名称】情報処理装置、プログラム、及び情報処理装置の制御方法
【手続補正２】
【補正対象書類名】明細書
【補正対象項目名】０００１
【補正方法】変更
【補正の内容】
【０００１】
本発明は、情報処理装置、プログラム、及び情報処理装置の制御方法に関する。
【手続補正３】
【補正対象書類名】明細書
【補正対象項目名】０００５
【補正方法】変更
【補正の内容】
【０００５】
そこで、本発明は、このような点に鑑み、その目的とするところは、複数のユーザが別人物であることを判定できる情報処理装置、プログラム、及び情報処理装置の制御方法を提供することにある。
【手続補正４】
【補正対象書類名】明細書
【補正対象項目名】０００６
【補正方法】変更
【補正の内容】
【０００６】
上記目的を達成するため、本発明の第１の観点に係る情報処理装置は、
端末装置の位置を表す位置情報を複数受信する情報受信部と、
前記受信された複数の位置情報でそれぞれ表される位置の差異と、該複数の位置情報がそれぞれ受信された受信時刻の差異と、の双方に基づいて、該複数の位置情報をそれぞれ送信した端末装置を使用するユーザが別人物であるか否かを判定する非同一性判定部と、を備える、
ことを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
また、第１の観点に係る情報処理装置において、
前記非同一性判定部は、前記位置の差異に相当する距離を前記受信時刻の差異に相当する時間内に１のユーザが移動する可能性を示す移動可能性がない又は著しく低い場合に、前記複数の位置情報をそれぞれ送信した端末装置のユーザが別人物であると判定する、
としても良い。
また、第１の観点に係る情報処理装置において、
前記非同一性判定部は、前記距離を前記時間内に移動する速度が前記ユーザにより達成可能な移動速度を示す基準値を超える場合に、前記移動可能性がない又は著しく低いと判定する、
としても良い。
また、第１の観点に係る情報処理装置において、
前記非同一性判定部は、前記距離の大きさに応じて想定される移動手段に対応する前記基準値を用いる、
としても良い。
また、第１の観点に係る情報処理装置において、
発行要求に応じて該発行要求の要求元である端末装置に応答されるアフィリエイトキーであって、該端末装置のユーザを特定するユーザ特定情報と該発行要求の要求時における該端末装置の位置を表す発行要求位置情報と該アフィリエイトキーの発行時刻を表す発行時刻情報とを含むアクセス要求を商品やサービスを注文する際のアクセス先を表すアクセス先情報が示す該アクセス先に自動転送する転送設定がなされた所定形式のアフィリエイトキーを発行するキー発行部と、
前記アクセス先情報が示すアクセス先へ自動転送されたアクセス要求を経て注文要求がなされ、前記発行要求の要求元である端末装置を使用する発行要求ユーザと該注文要求の要求元である端末装置を使用する注文要求ユーザとが別人物であると判定された場合に、該発行要求ユーザと該注文要求ユーザとの少なくともいずれかに所定の特典を付与するための特典付与条件を満足するか否かを判定する条件判定部と、をさらに備える、
としても良い。
また、第１の観点に係る情報処理装置において、
前記情報受信部は、前記注文要求がなされるトランザクションにおいて、該注文要求の要求元である端末装置から該端末装置の位置を表すアクセス要求位置情報を受信し、
前記非同一性判定部は、前記アクセス要求に付加された発行要求位置情報と前記受信されたアクセス要求位置情報とによりそれぞれ表される位置の差異と、前記アクセス要求に付加された発行時刻情報が示す時刻と前記アクセス要求に係るアクセス時刻との差異と、の双方に基づいて、前記発行要求ユーザと前記注文要求ユーザとが別人物であるか否かを判定する、
としても良い。
また、第１の観点に係る情報処理装置において、
前記条件判定部は、前記アクセス要求に付加された発行時刻情報が示す時刻と前記アクセス要求に係るアクセス時刻との差異が所定の閾値を超える場合に、該アクセス要求に係る前記注文要求がなされた事実を、前記特典付与条件を満たすか否かの判定の基礎から除外する、
としても良い。
【手続補正１１】
【補正対象書類名】明細書
【補正対象項目名】００１３
【補正方法】変更
【補正の内容】
【００１３】
また、上記目的を達成するため、本発明の第２の観点に係るプログラムは、
端末装置の位置を表す位置情報を複数受信する情報受信部、
前記受信された複数の位置情報でそれぞれ表される位置の差異と、該複数の位置情報がそれぞれ受信された受信時刻の差異と、の双方に基づいて、該複数の位置情報をそれぞれ送信した端末装置を使用するユーザが別人物であるか否かを判定する非同一性判定部、
としてコンピュータを機能させる。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
さらに上記目的を達成するため、本発明の第３の観点に係る情報処理装置の制御方法は、
端末装置の位置を表す位置情報を複数受信する情報受信ステップと、
前記受信された複数の位置情報でそれぞれ表される位置の差異と、該複数の位置情報がそれぞれ受信された受信時刻の差異と、の双方に基づいて、該複数の位置情報をそれぞれ送信した端末装置を使用するユーザが別人物であるか否かを判定する非同一性判定ステップと、
を含む。
【手続補正１４】
【補正対象書類名】明細書
【補正対象項目名】００１６
【補正方法】変更
【補正の内容】
【００１６】
本発明に係る情報処理装置、プログラム、及び情報処理装置の制御方法によれば、複数のユーザが別人物であることを判定できる。
【手続補正１５】
【補正対象書類名】明細書
【補正対象項目名】００１９
【補正方法】変更
【補正の内容】
【００１９】
本発明の実施形態に係る情報処理装置であるウェブサーバ装置（以下単に、サーバ装置という）１００は、図１（ａ）に示すように、例えば、インターネットなどのコンピュータ通信網１０（以下単に、通信網１０という）を介して端末装置２０１及び２０２に接続する。
【手続補正１６】
【補正対象書類名】明細書
【補正対象項目名】０１１７
【補正方法】変更
【補正の内容】
【０１１７】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。また、本発明に係る情報処理装置の制御方法は、本発明に係るサーバ装置１００を用いて実施できる。
【手続補正１７】
【補正対象書類名】特許請求の範囲
【補正対象項目名】全文
【補正方法】変更
【補正の内容】
【特許請求の範囲】
【請求項１】
端末装置の位置を表す位置情報を複数受信する情報受信部と、
前記受信された複数の位置情報でそれぞれ表される位置の差異と、該複数の位置情報がそれぞれ受信された受信時刻の差異と、の双方に基づいて、該複数の位置情報をそれぞれ送信した端末装置を使用するユーザが別人物であるか否かを判定する非同一性判定部と、を備える、
ことを特徴とする情報処理装置。
【請求項２】
前記非同一性判定部は、前記位置の差異に相当する距離を前記受信時刻の差異に相当する時間内に１のユーザが移動する可能性を示す移動可能性がない又は著しく低い場合に、前記複数の位置情報をそれぞれ送信した端末装置のユーザが別人物であると判定する、
ことを特徴とする請求項１に記載の情報処理装置。
【請求項３】
前記非同一性判定部は、前記距離を前記時間内に移動する速度が前記ユーザにより達成可能な移動速度を示す基準値を超える場合に、前記移動可能性がない又は著しく低いと判定する、
ことを特徴とする請求項２に記載の情報処理装置。
【請求項４】
前記非同一性判定部は、前記距離の大きさに応じて想定される移動手段に対応する前記基準値を用いる、
ことを特徴とする請求項３に記載の情報処理装置。
【請求項５】
発行要求に応じて該発行要求の要求元である端末装置に応答されるアフィリエイトキーであって、該端末装置のユーザを特定するユーザ特定情報と該発行要求の要求時における該端末装置の位置を表す発行要求位置情報と該アフィリエイトキーの発行時刻を表す発行時刻情報とを含むアクセス要求を商品やサービスを注文する際のアクセス先を表すアクセス先情報が示す該アクセス先に自動転送する転送設定がなされた所定形式のアフィリエイトキーを発行するキー発行部と、
前記アクセス先情報が示すアクセス先へ自動転送されたアクセス要求を経て注文要求がなされ、前記発行要求の要求元である端末装置を使用する発行要求ユーザと該注文要求の要求元である端末装置を使用する注文要求ユーザとが別人物であると判定された場合に、該発行要求ユーザと該注文要求ユーザとの少なくともいずれかに所定の特典を付与するための特典付与条件を満足するか否かを判定する条件判定部と、をさらに備える、
ことを特徴とする請求項１から４のいずれか１項に記載の情報処理装置。
【請求項６】
前記情報受信部は、前記注文要求がなされるトランザクションにおいて、該注文要求の要求元である端末装置から該端末装置の位置を表すアクセス要求位置情報を受信し、
前記非同一性判定部は、前記アクセス要求に付加された発行要求位置情報と前記受信されたアクセス要求位置情報とによりそれぞれ表される位置の差異と、前記アクセス要求に付加された発行時刻情報が示す時刻と前記アクセス要求に係るアクセス時刻との差異と、の双方に基づいて、前記発行要求ユーザと前記注文要求ユーザとが別人物であるか否かを判定する、
ことを特徴とする請求項５に記載の情報処理装置。
【請求項７】
前記条件判定部は、前記アクセス要求に付加された発行時刻情報が示す時刻と前記アクセス要求に係るアクセス時刻との差異が所定の閾値を超える場合に、該アクセス要求に係る前記注文要求がなされた事実を、前記特典付与条件を満たすか否かの判定の基礎から除外する、
ことを特徴とする請求項５又は６に記載の情報処理装置。
【請求項８】
端末装置の位置を表す位置情報を複数受信する情報受信部、
前記受信された複数の位置情報でそれぞれ表される位置の差異と、該複数の位置情報がそれぞれ受信された受信時刻の差異と、の双方に基づいて、該複数の位置情報をそれぞれ送信した端末装置を使用するユーザが別人物であるか否かを判定する非同一性判定部、
としてコンピュータを機能させるためのプログラム。
【請求項９】
端末装置の位置を表す位置情報を複数受信する情報受信ステップと、
前記受信された複数の位置情報でそれぞれ表される位置の差異と、該複数の位置情報がそれぞれ受信された受信時刻の差異と、の双方に基づいて、該複数の位置情報をそれぞれ送信した端末装置を使用するユーザが別人物であるか否かを判定する非同一性判定ステップと、
を含む、情報処理装置の制御方法。